(57)【要約】【課題】吸水性の高いエプロンを提供する。【解決手段】エプロン本体１０がタオル地の布によって形成されている。そのタオル地の布のうちの少なくともパイル又はシャーリングを形成する糸が綿素材によって形成されている。その上縁部にはゴム紐が設けられ、当該上縁部における左右のうちの一端部からその近傍にわたって複数のホック（メス）１２ａが設けられ、他端部にホック（オス）１２ｂが設けられている。【選択図】図２Ａ
0003209116.tif 000002
【実用新案登録請求の範囲】
【請求項１】
タオル地の布を主体として形成されている、エプロン。
【請求項２】
請求項１に記載のエプロンであって、
前記タオル地の布のうちの少なくともパイル又はシャーリングを形成する糸が綿素材によって形成されている、エプロン。
【請求項３】
請求項１又は請求項２に記載のエプロンであって、
その上縁部にはゴム紐が設けられ、
当該上縁部における左右のうちの一端部からその近傍にわたって複数のホック（オス）及びホック（メス）の一方が設けられ、他端部にホック（オス）及びホック（メス）の他方が設けられている、
エプロン。
【考案の詳細な説明】
【技術分野】
【０００１】
本考案は、エプロンに関するものである。
【背景技術】
【０００２】
炊事や給仕等の作業を行う際には、エプロンが着用される場合が多い。本来的に着用している衣服（内側の衣服）が濡れたり汚れたりすることを防止するとともに、衛生上の観点からである。
エプロンは、一般的に、平織り等の布によって形成されている。
【０００３】
ところで、特に、炊事等、手で水を扱う仕事を行う際には、次のニーズがある。
すなわち、水で濡れた手を拭いた際にその手を効率良く乾かしたり、内側の衣服が濡れることを有効に防止したりするために、より吸水性の高いエプロンを求めるニーズが高まっている。
【０００４】
なお、本考案に関連する先行技術として、特許文献１に記載されているものがある。
【先行技術文献】
【特許文献】
【０００５】
【特許文献１】特開２００９−１２７１８２号公報
【考案の概要】
【考案が解決しようとする課題】
【０００６】
本考案は、吸水性の高いエプロンを提供することを課題とする。
【課題を解決するための手段】
【０００７】
この課題を解決するために、請求項１に係る考案は、タオル地の布を主体として形成されている、エプロンである。
【０００８】
この考案のエプロンでは、タオル地の布を主体として形成されているため、吸水性が高い。このため、水で濡れた手を拭いた際に、その手が効率良く乾くとともに、内側の衣服が濡れることが有効に防止される。
【０００９】
請求項２に係る考案は、請求項１に係る考案のエプロンであって、前記タオル地の布のうちの少なくともパイル又はシャーリングを形成する糸が綿素材によって形成されている、エプロンである。
【００１０】
この考案のエプロンでは、請求項１に係る考案のエプロンの作用効果に加えて、次の作用効果が得られる。
すなわち、この考案のエプロンでは、パイル又はシャーリングを形成する糸が綿素材によって形成されているため、高い吸水性がより確実に得られ、前述した効果がより確実に得られる。
【００１１】
なお、「綿素材」とは、１００％の綿（めん）に限らず、綿を主体として他の材質の繊維が含まれるものも含むものである。
【００１２】
請求項３に係る考案は、請求項１又は請求項２に係る考案のエプロンであって、その上縁部にはゴム紐が設けられ、当該上縁部における左右のうちの一端部からその近傍にわたって複数のホック（オス）及びホック（メス）の一方が設けられ、他端部にホック（オス）及びホック（メス）の他方が設けられている、エプロンである。
【００１３】
この考案のエプロンでは、請求項１又は請求項２に係る考案のエプロンの作用効果に加えて、次の作用効果が得られる。
すなわち、この考案のエプロンでは、その上縁部がゴム紐によってウエスト寸法が伸縮可能であるとともに、複数のホック（オス）及びホック（メス）の一方のうちのいずれかに対してホック（オス）及びホック（メス）の他方が結合されることによって、ウエスト寸法が調整される。
こうして、種々のウエストの人が着用することができる。
【図面の簡単な説明】
【００１４】
【図１Ａ】本考案の一実施例のエプロンを示す展開図（平面状にした際の平面図）である。ゴム紐を伸ばしてしわを解消した状態のものである。
【図１Ｂ】本考案の一実施例のエプロンを示す展開図（平面状にした際の平面図）である。ゴム紐を伸ばしてしわを解消した状態のものである。
【図２Ａ】本考案の一実施例のエプロンを示す斜視図（使用状態に基づく斜視図）である。斜め前方から見た図である。
【図２Ｂ】本考案の一実施例のエプロンを示す斜視図（使用状態に基づく斜視図）である。斜め後方から見た図である。
【図３】本考案の一実施例のエプロンの一部を示す拡大断面図である。
【考案を実施するための形態】
【００１５】
次に、本考案の一実施例について、図面に基づいて説明する。
図２Ａ及び図２Ｂに示すように、このエプロンは、下半身用のものであり、ほぼスカートのような形状をしている。
【００１６】
図１Ａに示すように、エプロンは、しわを解消させた展開状態で、ほぼ横長の長方形状をしている。より正確にいうと、その上縁部は直線状をしているとともに、その下縁部は円弧状をしており、幅方向における各端部に向かうにつれて丈が短くなっている。
【００１７】
図１Ａ〜図２Ｂに示すように、エプロンの上縁部（着用者のウエスト部に対応する）の左右のうちの一端部からその近傍にわたって、２つのホック（メス）１２ａが設けられ、他端部にはホック（オス）１２ｂが設けられている。
こうして、２つのホック（メス）１２ａのうちのいずれかにホック（オス）１２ｂが結合されることによって、エプロンはほぼ筒状になる。いずれのホック（メス）１２ａにホック（オス）１２ｂが結合されるかによって、ウエスト寸法が調整される。
【００１８】
エプロンの上縁部にはゴム紐収容部１４が設けられ、そのゴム紐（図示省略）が収容されている。
こうして、図１Ｂ等に示すように、自然状態において、エプロンの上部は絞られているとともに、弾性的に伸縮可能とされている。また、自然状態において、エプロン（エプロン本体１０）には、その上部を中心に、多数のしわが形成されている。
また、エプロン（エプロン本体１０）の下縁部（裾）には、フリル１６が設けられてる。
【００１９】
エプロンは、タオル地の布を主体として形成されている。すなわち、フリル１６は平織りの布によって形成されているが、それ以外の大半部分（エプロン本体１０）はタオル地の布によって形成されている。
【００２０】
図３に示すように、このエプロン本体１０は、面状のベース２０とシャーリング３０Ａ及びパイル３０Ｂを有している。
【００２１】
ベース２０は、地糸２５によって形成されている。地糸２５には、地緯糸２５ａと地経糸２５ｂがある。地緯糸２５ａ及び地経糸２５ｂのうち、一方（例えば、地緯糸２５ａ）がエプロンの周方向に全体として対応し、他方（例えば、地経糸２５ｂ）がエプロンの高さ方向に対応している。
【００２２】
シャーリング３０Ａはベース２０のおもて側に形成され、パイル３０Ｂはベース２０の裏側に形成されている。パイル３０Ｂは、ベース２０から多数のループが突出した態様を有している。シャーリング３０Ａは、パイル（３０Ｂ）の先端部が切断されて起毛状に形成されている。
シャーリング３０Ａ，パイル３０Ｂを形成する糸（パイル糸）３５は、綿素材によって形成されている。
【００２３】
次に、このエプロンの使用方法及び作用効果について説明する。
このエプロンは、その上縁部において、使用者のウエスト部を一巡するようにされ、使用者の後部においていずれかのホック（メス）１２ａとホック（オス）１２ｂとが結合され、使用者のウエスト部に対して取り付けられる。このようにして、使用者がこのエプロンを着用する。
【００２４】
そして、このエプロンは、その下部を除く大半部分であるエプロン本体１０がタオル地によって形成されているため、次の効果が得られる。
炊事等の水仕事によって濡れた手をエプロン本体１０で拭いた際に、その手に付着していた水が効率良くエプロン本体１０に移り、その手が効率良く乾くこととなる。
すなわち、平織りの場合よりも吸水性が高いため、多くの水がエプロン本体１０に含まれるので、手に付着していた水が効率良くエプロン本体１０に移り、その手が効率良く乾くのである。
【００２５】
また、炊事等の水仕事によって水（正確には液体）が飛散した場合においても、内側の本来の衣服（下衣）が濡れることが防止される。すなわち、平織りの場合よりも吸水性が高いので、多くの水が飛散した場合でも、その水が裏側まで及ぶことが限定され、有効に濡れ防止がされる。
【００２６】
なお、上記のものはあくまで本考案の一実施例にすぎず、当業者の知識に基づき種々の変更を加えた態様で本考案を実施できることはもちろんである。
【００２７】
例えば、エプロン本体１０のおもて側のシャーリング３０Ａがパイル３０Ｂとされてもよい。また、エプロン本体１０の裏側には、パイル３０Ｂもシャーリング３０Ａも形成されていなくても良い。
また、上記のエプロンは下半身用のものであるが、ほぼ全身用（首より下の部分用等）のものでもよい。その場合は、下側の本来の衣服のうち上衣についても、有効に濡れ防止がされる。
【符号の説明】
【００２８】
１０  エプロン本体
２０  ベース
２５  地糸
３０Ａ  シャーリング
３０Ｂ  パイル
３５  パイル糸
【図１Ａ】
0003209116.tif 000003
【図１Ｂ】
0003209116.tif 000004
【図２Ａ】
0003209116.tif 000005
【図２Ｂ】
0003209116.tif 000006
【図３】
0003209116.tif 000007